【手続補正書】
【提出日】平成18年9月20日(2006.9.20)
【手続補正１】
【補正対象書類名】明細書
【補正対象項目名】発明の名称
【補正方法】変更
【補正の内容】
【発明の名称】液晶表示装置およびその駆動方法
【手続補正２】
【補正対象書類名】明細書
【補正対象項目名】特許請求の範囲
【補正方法】変更
【補正の内容】
【特許請求の範囲】
【請求項１】
複数の導光部材と、
前記複数の導光部材の実質上、端部にそれぞれ配置または形成された発光素子と、
前記導光部材間に配置または形成された遮光部と、
前記導光部材の光出射側に配置された液晶表示パネルとを備え、
前記複数の導光部材は並列に配置されており、光発光面を形成している、液晶表示装置。
【請求項２】  
前記発光素子は点滅する、請求項１記載の液晶表示装置。
【請求項３】
前記導光部材の光出力面に光拡散部が配置または形成されている、請求項１記載の液晶表示装置。
【請求項４】
複数の導光部材が並列に配置され、かつ、前記複数の導光部材の実質上、端部にそれぞれ配置された発光素子と、前記導光部材の光出力面に配置された液晶表示パネルとを備えた液晶表示装置の駆動方法であって、
前記発光素子の点滅を、前記液晶表示装置の画像書き込みタイミングに同期して行う、液晶表示装置の駆動方法。
【請求項５】
液晶表示パネルと、
前記液晶表示パネルを照明する照明装置とを備え、
前記照明装置に複数の光発生手段が配置され、
前記光発生手段を点灯制御することにより、前記照明装置に非点灯部と点灯部を発生させて、前記点灯部を前記液晶表示パネルの上下方向に移動させ、
前記非点灯部の面積Ｓ１、点灯部の面積Ｓ２としたとき、０．１≦Ｓ２／Ｓ1≦０．７の関係を満足し、
前記照明装置の点灯部の点灯周期と、前記表示パネルの画面を書き換える周期とを一致させ、
前記表示パネルの画面を書き換える周期は、７０Ｈｚ以上１８０Ｈｚ以下である、液晶表示装置。
【請求項６】
前記照明装置は複数の導光板を有し、
前記複数の導光板は並列にならべて配置され、
前記導光板のエッジに光発生手段が配置され、
前記光発生手段から放射された光が、前記導光板内を反射されて伝搬する、請求項５記載の液晶表示装置。
【請求項７】
前記照明装置は導光板を有し、
前記導光板の裏面に、複数の光発生手段が配置され、
前記複数の光発生手段は、点灯部に一致させてライン状に点灯させる、請求項５記載の液晶表示装置。
【請求項８】
外光の明るさを検出する検出手段を、さらに備え、
前記検出手段により、照明装置の輝度を可変する、請求項５記載の液晶表示装置。
【請求項９】
前記光発生手段は、線状の発光部を有しており、
前記光発生手段の本数をｎ（本）とし、表示パネルの有効表示領域の縦幅をＨ（ｃｍ）とし、液晶表示パネルの有効表示領域の横幅をＷ（ｃｍ）としたとき、０．１０≦Ｗ／（Ｈ・ｎ）≦０．３５の関係を満足する、請求項５記載の液晶表示装置。
【請求項１０】
前記光発光手段の温度を検出する温度検出手段をさらに備え、
前記温度検出手段が検出した温度により、前記光発光手段に流れる電流量を制御する、請求項５記載の液晶表示装置。
【請求項１１】
前記照明装置は複数の導光板を有し、
前記複数の導光板は並列にならべて配置され、
前記導光板は、内部が中空または、内部にゲルまたは液体が充填されたものである、請求項５記載の液晶表示装置。
【請求項１２】
前記光発生手段は、赤色、緑色および青色のＬＥＤであり、
前記光発生手段は、フィールドシーケンシャルに点灯させるものである、請求項５記載の液晶表示装置。
【手続補正３】
【補正対象書類名】明細書
【補正対象項目名】０００１
【補正方法】変更
【補正の内容】
【０００１】
【発明の属する技術分野】
本発明は、液晶表示装置およびその駆動方法に関する。例えば、本発明は、動画ボケを改善する表示パネルの照明装置とそれを用いた映像表示装置、直視型でも反射型でも良好な画像を表示できる表示パネルおよびこれらを用いた直視型表示装置、携帯端末、ビューファインダ、ビデオカメラおよび投射型表示装置等に関するものである。
【手続補正４】
【補正対象書類名】明細書
【補正対象項目名】０００９
【補正方法】変更
【補正の内容】
【０００９】
【課題を解決するための手段】
上述した課題を解決するために、第１の本発明は、複数の導光部材と、
前記複数の導光部材の実質上、端部にそれぞれ配置または形成された発光素子と、
前記導光部材間に配置または形成された遮光部と、
前記導光部材の光出射側に配置された液晶表示パネルとを備え、
前記複数の導光部材は並列に配置されており、光発光面を形成している、液晶表示装置である。
また、第２の本発明は、前記発光素子は点滅する、第１の本発明の液晶表示装置である。
また、第３の本発明は、前記導光部材の光出力面に光拡散部が配置または形成されている、第１の本発明の液晶表示装置である。
また、第４の本発明は、複数の導光部材が並列に配置され、かつ、前記複数の導光部材の実質上、端部にそれぞれ配置された発光素子と、前記導光部材の光出力面に配置された液晶表示パネルとを備えた液晶表示装置の駆動方法であって、
前記発光素子の点滅を、前記液晶表示装置の画像書き込みタイミングに同期して行う、液晶表示装置の駆動方法である。
また、第５の本発明は、液晶表示パネルと、
前記液晶表示パネルを照明する照明装置とを備え、
前記照明装置に複数の光発生手段が配置され、
前記光発生手段を点灯制御することにより、前記照明装置に非点灯部と点灯部を発生させて、前記点灯部を前記液晶表示パネルの上下方向に移動させ、
前記非点灯部の面積Ｓ１、点灯部の面積Ｓ２としたとき、０．１≦Ｓ２／Ｓ1≦０．７の関係を満足し、
前記照明装置の点灯部の点灯周期と、前記表示パネルの画面を書き換える周期とを一致させ、
前記表示パネルの画面を書き換える周期は、７０Ｈｚ以上１８０Ｈｚ以下である、液晶表示装置である。
また、第６の本発明は、前記照明装置は複数の導光板を有し、
前記複数の導光板は並列にならべて配置され、
前記導光板のエッジに光発生手段が配置され、
前記光発生手段から放射された光が、前記導光板内を反射されて伝搬する、第５の本発明の液晶表示装置である。
また、第７の本発明は、前記照明装置は導光板を有し、
前記導光板の裏面に、複数の光発生手段が配置され、
前記複数の光発生手段は、点灯部に一致させてライン状に点灯させる、第５の本発明の液晶表示装置である。
また、第８の本発明は、外光の明るさを検出する検出手段を、さらに備え、
前記検出手段により、照明装置の輝度を可変する、第５の本発明の液晶表示装置である。
また、第９の本発明は、前記光発生手段は、線状の発光部を有しており、
前記光発生手段の本数をｎ（本）とし、表示パネルの有効表示領域の縦幅をＨ（ｃｍ）とし、液晶表示パネルの有効表示領域の横幅をＷ（ｃｍ）としたとき、０．１０≦Ｗ／（Ｈ・ｎ）≦０．３５の関係を満足する、第５の本発明の液晶表示装置である。
また、第１０の本発明は、前記光発光手段の温度を検出する温度検出手段をさらに備え、
前記温度検出手段が検出した温度により、前記光発光手段に流れる電流量を制御する、第５の本発明の液晶表示装置である。
また、第１１の本発明は、前記照明装置は複数の導光板を有し、
前記複数の導光板は並列にならべて配置され、
前記導光板は、内部が中空または、内部にゲルまたは液体が充填されたものである、第５の本発明の液晶表示装置である。
また、第１２の本発明は、前記光発生手段は、赤色、緑色および青色のＬＥＤであり、
前記光発生手段は、フィールドシーケンシャルに点灯させるものである、第５の本発明の液晶表示装置である。
例えば、本発明の照明装置あるいは表示装置は、動画ボケを解決するため、表示パネルの各画素の電圧を書きかえるタイミングと、バックライトを駆動する駆動回路の動作とを同期をとって画像表示を行う。バックライトユニット（照明装置）は複数の導光板を並列にならべて配置する。導光板のエッジには白色ＬＥＤを取り付ける。この白色ＬＥＤは３〜４本を組みとして順次点灯させ、あるいは１つずつ順次点灯させる。一方、液晶表示パネルの各画素行に印加する（画素電極の電圧を書きかえる）位置も走査する。この走査と白色ＬＥＤの点灯とは同期をとる。また蛍光管は、画素に電圧を印加され書きかえられた画素上の液晶層の液晶が十分変化した後に、その画素行に対応する導光板のＬＥＤを点灯するようにする。
【手続補正５】
【補正対象書類名】明細書
【補正対象項目名】０４３７
【補正方法】変更
【補正の内容】
【０４３７】
【発明の効果】
本発明の液晶表示パネルおよびその駆動方法は、動画ボケの改善，低コスト化，高輝度化等のそれぞれの構成に応じて特徴ある効果を発揮する。